(57)【特許請求の範囲】
【請求項１】
ディスクを装置本体に対して搬入、搬出するためにローディング機構により移動させられるディスクトレイを、ディスクを搬入した位置でロックするためのロック装置であって、
ディスクトレイにより装置本体に対して搬入されたディスクが載置されるターンテーブルのクランプ位置からクランプ解除位置への移動に連動して前記トレイに対するロック位置からロック解除位置に移動し、ロック解除位置では前記トレイの一部に当接してその移動が規制されるロック制御部材と、
前記トレイに設けられ、前記ロック制御部材の移動によって、前記装置本体の一部に係止する係止位置と係止が解除された係止解除位置とを取り得る係止部材と、
前記トレイの一部に設けられ、前記ロック制御部材がロック位置からロック解除位置に移動する際に、前記ロック制御部材に圧接して前記ロック制御部材の移動速度を低減するための速度低減手段と、を備え、
前記ロック制御部材は、前記トレイの裏面にそのトレイの前後方向に沿って設けられて前記トレイを移動させるための弾性変形が可能な樹脂製の薄いプレート部材でなるラックプレートによって形成され、かつ、このラックプレートが、前記ディスクトレイを移動させるためのラック・アンド・ピニオン機構の構成部材として使用されており、
前記速度低減手段は、前記トレイの一部を前記ラックプレート側に突出させて一体に形成され、かつ、前記ラックプレートが前記ロック位置からロック解除位置に移動する際の移動方向下流側に向かって乗り上げ高さが徐々に高くなっている乗り上げ部でなり、
この乗り上げ部は、前記ラックプレートが前記ロック位置からロック解除位置に移動する途中から前記トレイの一部に当接するまでの間においてそのラックプレートを乗り上がらせることによりそのラックプレートに圧接してそのラックプレートの移動速度を低減するものである、ことを特徴とするディスクトレイのロック装置。
【請求項２】
情報媒体としてのディスクを所定の位置にセットし、駆動するためのディスク駆動装置であって、本体フレームと、前記本体フレームに対して搬入、搬出方向に移動自在に設けられ、ディスクが載置可能なトレイと、前記トレイを駆動するためのローディング機構と、前記ディスクを回転駆動するためのディスク駆動機構と、請求項１に記載のディスクトレイのロック装置と、を備えたディスク駆動装置。
【請求項３】
前記ローディング機構は、モータと、前記トレイの裏面に所定の範囲で移動自在に設けられたラックプレートと、前記モータとラックプレートとを連結する複数のギアとを備えている、請求項２に記載のディスク駆動装置。
【発明の詳細な説明】
【０００１】
【発明の属する技術分野】
本発明は、ディスクトレイのロック装置、特に、ローディング機構により装置本体に対して搬入、搬出されるディスクトレイのロック装置に関する。また、本発明は、ディスク駆動装置、特に、情報媒体としてのディスクを所定の位置にセットし、駆動するためのディスク駆動装置に関する。
【０００２】
【従来の技術】
情報媒体として磁気ディスクや光ディスク等のディスクを用いたディスク再生装置では、ディスクを載置するディスクトレイ（以下、単にトレイと記す）と、所定の位置にセットされたディスクを回転駆動する駆動機構と、ディスクに書き込まれた情報を読み取る読み取り機構とを有している。また、トレイは、ローディング機構によって、装置本体に対して搬入、搬出されるようになっている。
【０００３】
このような装置においては、トレイを内部に搬入した位置でロックするためのロック機構が設けられている。このロック機構は、トレイの裏面に設けられたラックプレートと、ラックプレートによって揺動させられる係止部材とを有している。ラックプレートは、本来は、ディスク再生装置の本体フレーム側に設けられたモータ及びギア列ととともにトレイを移動させるための部材である。すなわち、ラックプレートはモータ及びギア列によって回転するピニオンギアとともにラック・アンド・ピニオン機構を構成している。そして、このラックプレートをトレイに対してロック位置とロック解除位置の間で移動自在とし、この移動により係止部材を揺動させて、係止部材が本体フレーム側の切欠きに係止したロック状態と、係止部材が切欠きから抜け出たロック解除状態とを取り得るようにしている。
【０００４】
なお、他のロック機構としては、実開昭６１−１３００６３号等に示された機構がある。
【０００５】
【発明が解決しようとする課題】
従来の装置において、ラックプレートはトレイを移動させるためのラック・アンド・ピニオン機構の構成部材としても使用されているので、前述のように、ロックのための移動範囲を所定の範囲に制限する必要がある。そこで、従来装置では、ラックプレートの一端が、ロック解除位置でトレイの裏面内側の端面に当たるようにし、その移動を制限するようにしている。
【０００６】
しかし、ラックプレートがロック位置からロック解除位置に移動してトレイの裏面端面に当たる際に、その衝突音が大きくなる。特に従来の装置では、ラックプレートのロック位置からロック解除位置への移動とターンテーブルのクランプ解除とが連動しており、そのため、ラックプレートのロック位置からロック解除位置への移動速度が逆の場合の移動速度よりも速く、ラックプレートが勢い良くトレイ端面に衝突し、衝突音が大きくなる。
【０００７】
本発明の課題は、トレイのロック機構を構成する部材の衝突音を抑えることにある。本発明の別の課題は、前述のような衝突音を安価な構成で抑えることにある。
【０００８】
【課題を解決するための手段】
請求項１に係るロック装置は、ディスクを装置本体に対して搬入、搬出するためにローディング機構により移動させられるディスクトレイを、ディスクを搬入した位置でロックするためのロック装置であって、ロック制御部材と、係止部材と、速度低減手段とを備えている。ロック制御部材は、ディスクトレイにより装置本体に対して搬入されたディスクが載置されるターンテーブルのクランプ位置からクランプ解除位置への移動に連動して前記トレイに対するロック位置からロック解除位置に移動し、ロック解除位置では前記トレイの一部に当接してその移動が規制される。係止部材は、トレイに設けられ、ロック制御部材の移動によって、装置本体の一部に係止する係止位置と係止が解除された係止解除位置とを取り得る。速度低減手段は、トレイの一部に設けられ、ロック制御部材がロック位置からロック解除位置に移動する際に、ロック制御部材に圧接してロック制御部材の移動速度を低減するための手段である。また、ロック制御部材は、トレイの裏面にそのトレイの前後方向に沿って設けられてトレイを移動させるための弾性変形が可能な樹脂製の薄いプレート部材でなるラックプレートによって形成され、かつ、このラックプレートが、ディスクトレイを移動させるためのラック・アンド・ピニオン機構の構成部材として使用されており、速度低減手段は、前記トレイの一部を前記ラックプレート側に突出させて一体に形成され、かつ、前記ラックプレートが前記ロック位置からロック解除位置に移動する際の移動方向下流側に向かって乗り上げ高さが徐々に高くなっている乗り上げ部でなり、この乗り上げ部は、ラックプレートがロック位置からロック解除位置に移動する途中からトレイの一部に当接するまでの間においてそのラックプレートを乗り上がらせることによりそのラックプレートに圧接してそのラックプレートの移動速度を低減するものである。
【０００９】
この装置では、ロック制御部材がロック位置とロック解除位置との間で移動し、これによりトレイに設けられた係止部材が係止位置と係止解除位置とを取り得る。係止部材は、係止位置では装置本体の一部に係止し、これによりトレイが装置本体に対して相対的に移動不能となる。これによりトレイの移動がロックされる。一方、係止部材の装置本体に対する係止が解除された場合は、トレイは装置本体に対して相対移動が可能となり、トレイは移動自在となる。
【００１０】
このとき、ロック制御部材は所定の範囲で移動し、ロック解除位置ではトレイの一部に衝突してその移動が停止する。そして、ロック制御部材は、トレイの一部に衝突する手前で速度低減手段と圧接することによりその移動速度が低減する。したがって、ロック制御部材がトレイの一部に衝突する際の音が抑えられる。
【００１１】
ここでは、ロック制御部材の速度低減のための手段を、トレイの一部である乗り上げ部によって実現しているので、安価となる。乗り上げ部は、ロック制御部材の移動方向下流側に向かって乗り上げ高さが徐々に高くなっている。ここでは、乗り上げ部によってロック制御部材への圧接力が徐々に大きくなるので、ロック制御部材の移動時のスムーズさを損なわずに、その移動速度を低減できる。
【００１２】
一般にこの種の装置では、ターンテーブルのクランプ解除と、ロック制御部材のロック位置からロック解除位置への移動とを連動させているものが多い。このような場合には、ターンテーブルのクランプが解除された際に、その勢いがそのままロック制御部材の移動に伝えられるので、ロック制御部材のロック解除位置への移動速度が、逆の場合に比較して速くなる。
【００１３】
そこでここでは、ロック制御部材がロック解除位置に移動する際の移動速度を低減し、衝突音を効果的に抑えるようにしている。
【００１４】
一般的にトレイはローディング機構により移動させれるようになっている。そして、ローディング機構は、ラック・アンド・ピニオン機構により構成される場合が多い。そこで、ここでは、トレイに設けられたラック・アンド・ピニオン機構のラックプレートを利用してロック制御部材を構成している。
【００１５】
請求項２に係るディスク駆動装置は、情報媒体としてのディスクを所定の位置にセットし、駆動するためのディスク駆動装置であって、本体フレームと、ディスクが載置可能なトレイと、ローディング機構と、ディスク駆動機構と、前述のロック装置とを備えている。トレイは本体フレームに対して搬入、搬出方向に移動自在に設けられている。ローディング機構はトレイを駆動するための機構である。ディスク駆動機構はディスクを回転駆動するための機構である。
【００１６】
この装置では、ディスクを再生等する場合は、トレイを装置本体から突出させる。そして、ディスクが載置されたトレイはローディング機構により装置本体内に搬入される。この後、ディスクはディスク駆動機構によって回転駆動される。このとき、トレイが装置本体内に取り込まれた状態で、ロック装置によりロックされ、トレイが装置本体に対して固定される。
【００１７】
ここでは、前記同様に、ロック制御部材のトレイへの衝突音が抑えられる。請求項３に係るディスク駆動装置は、請求項２の装置において、ローディング機構は、モータと、トレイの裏面に所定の範囲で移動自在に設けられたラックプレートと、モータとラックプレートとを連結する複数のギアとを備えている。そして、ロック制御部材はラックプレートである。
【００１８】
ここでは、ローディング機構を構成するラックプレートを利用してロック制御部材としているので、構成が簡単になる。
【００１９】
この装置では、ターンテーブルのクランプ位置からクランプ解除位置への移動と、ロック制御部材のロック位置からロック解除位置への移動とを連動させているので、ターンテーブルのクランプが解除された際に、その勢いがそのままロック制御部材の移動に伝えられる。したがって、ロック制御部材のロック解除位置への移動速度が、逆の場合に比較して速くなる。
【００２０】
このような装置において、前述のようなロック装置を用いることにより、衝突音を効果的に抑えることができる。
【００２１】
【発明の実施の形態】
［全体構成］
図１及び図２に、本発明の一実施形態を採用したディスク再生装置１を示す。図１はディスク再生装置１の平面図、図２はその駆動系を示す図である。このディスク再生装置１は、ディスクを装置本体に対して搬入、搬出するとともに所定の位置にセットして回転駆動するディスク駆動部と、回転駆動されたディスクの内容を読み取って再生する読み取り再生部とを有している。ディスク駆動部は、本体フレーム２と、この本体フレーム２に対して装置の前後方向に移動自在なトレイ３とを有している。また、ディスク駆動部は、トレイ３を駆動するためのローディング機構と、ディスクを駆動するためのディスク駆動機構５と、トレイ３の移動を禁止するためのロック機構６とを有している。
【００２２】
［本体フレーム］
本体フレーム２は、平面視ほぼ長方形状であり、中央部には開口２ａが形成され、また外周部には取り付けベース部が設けられている。取り付けベース部には、ユニットホルダ１０及びローディング機構が取り付けられている。また、ユニットホルダ１０には、読み取り再生部を構成する光学ヘッド１１が前後方向に移動自在に取り付けられるとともに、ディスク駆動機構５が取り付けられている。そして、ユニットホルダ１０は、装置奥側の後端部１０ａを中心に先端側の前部が所定の範囲で上下動（揺動）自在となっている。
【００２３】
［トレイ］
トレイ３は、本体フレーム２と同様に、平面視ほぼ長方形状であり、中央部には前後方向に長い開口３ａが形成されている。この開口３ａからは、前述の光学ヘッド１１やディスク駆動機構５が露出している。また、トレイ３の上面には、ディスクを載置するための円形の凹部である第１載置部３ｂ及び第２載置部３ｃが形成されている。
【００２４】
［ローディング機構］
ローディング機構は、本体フレーム２側に設けられたモータ１５及びギア列１６と、トレイ３の裏面に設けられたラックプレート１７とを有している。モータ１５は本体フレーム２の取り付けベース部２ｂの裏面側に固定されており、その回転軸は取り付けベース部２ｂの表面側に貫通している。ギア列１６は第１〜第６ギアから構成されている。第１ギア２１はモータ１５の回転軸先端に固定されており、第２ギア２２は第１ギア２１に噛み合っている。第３ギア２３は第２ギア２２の回転軸に固定されており、したがって第２及び第３ギア２２，２３は同期して回転する。第４ギア２４は第３ギア２３に噛み合っており、第５ギア２５は、第４ギア２４の回転軸に固定されて、第４ギア２４と同期して回転する。第６ギア２６は、第５ギア２５と噛み合うとともに、ラックプレート１７に噛み合っている。
【００２５】
このようなギア列１６により、モータ１５の回転がラックプレート１７に伝達される。ラックプレート１７は、弾性変形が可能な樹脂製の薄いプレート部材であり、トレイ３の裏面側部にトレイ３の長手方向（前後方向）に沿って設けられている。このラックプレート１７には長孔１７ａ，１７ｂが形成されており、この長孔１７ａ，１７ｂにトレイ３の裏面から突出する突起（図示せず）が係合している。したがって、ラックプレート１７は前後方向に所定の範囲で移動自在である。
【００２６】
また、ラックプレート１７は、側面の全長にわたって第１歯部１７ｃが形成されるとともに、前方部分に所定長さの第２歯部１７ｄが形成されている。そして、第１歯部１７ｃがギア列１６の第６ギア２６に噛み合っている。このようなラックプレート１７は、所定の範囲で前後方向に移動自在であるが、前方に移動したときには、その先端がトレイ３の裏面前端部に形成されたストッパリブ３ｄに当接することによりその移動が規制されるようになっている。
【００２７】
［速度低減のための構成］
トレイ３の裏面側壁３ｅには、ラックプレート１７が前方に移動する際の移動速度を低減するための乗り上げ部３ｆ（速度低減手段）が形成されている。この乗り上げ部３ｆは、図３に拡大して示すように、前方側に向かってその乗り上げ高さが徐々に高くなるような傾斜面を有している。したがって、ラックプレート１７が前方に移動する際に、ラックプレート１７の側面がこの乗り上げ部３ｆに乗り上げ、ラックプレート１７が弾性変形させられる。これにより、ラックプレート１７の速度が低減される。
【００２８】
［ディスク駆動機構］
ディスク駆動機構５は、図１に示すように、ユニットホルダ１０の裏面側に固定されたモータ３０と、このモータ３０によって回転させられるターンテーブル３１とを有している。ターンテーブル３１の中央部には、上方に突出するディスク位置合わせ用の突起部３１ａが形成されている。そして、ユニットホルダ１０が上方に揺動したときに、この突起部３１ａの上面が上方のクランパ（図示せず）に吸着されるようになっている。ここでは、ユニットホルダ１０の上方の位置をクランプ位置、下方の位置をクランプ解除位置と呼ぶ。
【００２９】
［ロック機構］
ロック機構６は、前述のラックプレート１７と、係止部材３５とを有している。ラックプレート１７の後部にはロック機構用のリブ３６が形成されている。ロック用リブ３６は、前後方向に長いロック部３６ａと、このロック部３６ａの一端側（後端側）に内側に曲げられて形成されたロック解除部３６ｂとを有している。係止部材３５は、トレイ３の裏面に揺動自在に装着されており、その先端がロック用リブ３６に当接している。また、本体フレーム２の側壁の後部には、ロック用の切欠き２ｃが形成されている。トレイ３が装置内部（後方）に移動した搬入状態において、係止部材３５は外側に揺動して切欠き２ｃに係止可能となっている。
【００３０】
［連動機構］
また、このディスク駆動装置１には、ユニットホルダ１０の揺動とローディング動作とを連動するための連動機構４０が設けられている。この連動機構４０は、ラック部材４１と、第７及び第８ギア４２，４３と、前述のラックプレート１７に形成された第２歯部１７ｄとから構成されている。ラック部材４１は、その外側の側面に歯部４１ａが形成されており、内側の側面４１ｂに、図４に示すようなカム溝４１ｃが形成されている。そして、ユニットホルダ１０の前端部に外側に突出して設けられたロッド４４が、ラック部材４１のカム溝４１ｃに挿入されている。また、第７ギア４２はラックプレート１７の第２歯部１７ｄに噛み合っている。第８ギア４３は、第７ギア４２の回転軸に固定されており、ラック部材４１に形成された歯部４１ａに噛み合っている。なお、第７ギア４２は、外周の一部にのみ歯が形成されている。したがって、ラックプレート１７の移動時において、前方への最初の所定の移動範囲と後方への最後の所定の移動範囲でのみ、第７ギア４２とラックプレート１７の第２歯部１７ｄとが噛み合うようになっている。
【００３１】
このような構成では、ラックプレート１７が移動することにより、トレイ３の前方への移動開始時と後方への移動終了時の所定の移動範囲で、ギヤ４２，４３を介してラック部材４１が前後方向に移動する。そして、ラック部材４１が移動すれば、そのカム溝４１ｂに挿入されているロッド４４がカム溝４１ｂに沿って上下動することになる。このようにして、ユニットホルダ１０は後端部を支点として上下方向に揺動することとなる。
【００３２】
［動作］
次に動作について説明する。図２は、トレイ３が装置内部に位置している状態を示している。この状態では、ユニットホルダ１０はクランパにクランプされており、またロック機構６はロック状態となっている。すなわち、ラックプレート１７は後方に移動して後端が本体フレーム２の後壁面に当接している（この状態をロック位置と記す）。そして、係止部材３５はラックプレート１７のロック用リブ３６のロック部３６ａに当接している。このため、係止部材３５は、先端部分が外側に揺動し、本体フレーム２の切欠き２ｃに係止している。このように、トレイ３に装着された係止部材３５が本体フレーム２の切欠き２ｃに係止しているので、トレイ３は本体フレーム２から引き出すことはできず、ロック状態となっている。
【００３３】
＜アンローディング＞
次に、アンローディングの指示がなされた場合は、モータ１５をアンローディング方向（図２においてＵ方向）に回転させる。すると、ギア列１６を介してモータ回転がラックプレート１７に伝達される。これにより、ラックプレート１７のみが前方（図中Ｕ方向）に移動を開始する。前述のように、ラックプレート１７はトレイ３に対して相対移動が可能であるので、この時点ではトレイ３は移動しない。
【００３４】
ラックプレート１７が前方に移動すると、このラックプレート１７の第２歯部１７ｄに噛み合っている第７ギア４２が回転し、この回転は第８ギア４３を介してラック部材４１に伝達される。このため、ラック部材４１は後方に移動し、ラック部材４１のカム溝４１ｃに挿入されているロッド４４が下方に移動させられる。すなわち、ユニットホルダ１０のクランプが解除されて下方のクランプ解除位置に揺動する。
【００３５】
ユニットホルダ１０のクランプが解除されるときには、それまでクランパによって吸着されていたターンテーブル３１がクランパから強制的に引き離されるので、その反動によって、吸着が解除されたユニットホルダ１０の下方への移動速度は比較的速い。この勢いが、ラック部材４１及びギア４２，４３を介してラックプレート１７にも伝達され、ラックプレート１７の前方への速度が速くなる。
【００３６】
しかし、ラックプレート１７の移動の途中で、ラックプレート１７の側面が乗り上げ部３ｆに乗り上げ、ラックプレート１７は、乗り上げ部３ｆに圧接し、図３に示すように弾性変形しながら移動する。このような作用によって、ラックプレート１７の移動速度は低下し、トレイ３のストッパリブ３ｄに当接するときには移動速度が遅くなっている。したがって、ラックプレート１７の先端がストッパリブ３ｄに衝突しても、衝突音を低く抑えることができる。
【００３７】
また、乗り上げ部３ｆは、前方に行くにしたがって徐々にその高さが高くなっているので、ラックプレート１７の速度は徐々に低下させられることになり、移動のスムーズさが妨げられることはない。
＜ロック解除＞
前述のようにしてラックプレート１７がストッパリブ３ｄに衝突するまで前方に移動すると、ロック機構６の係止部材３５は、ロック用リブ３６のロック部３６ａではなく、ロック解除部３６ｂに当接可能な位置にくる。この状態からさらにラックプレート１７及びトレイ３が前方に移動すると、係止部材３５が内側に揺動し、切欠き２ｃとの係止が解除されてロックが解除された状態となる。
【００３８】
このようにしてロック機構６のロックが解除され、トレイ３はその載置面にディスクが載置可能な位置まで前方に移動して停止する。なお、ユニットホルダ１０がクランプ解除位置に位置した状態では、第７ギア４２は、外周の歯が形成されていない部分がラックプレート１７の第２歯部１７ｄに対向しており、したがってラックプレート１７がトレイ３とともに移動しても第７ギア４２は回転せず、連動機構４０は作動しない。
【００３９】
＜ローディング＞
ディスクがトレイ３の載置部に載置され、ローディング指示がなされた場合は、モータ１５はローディング方向（図２のＬ方向）に回転する。この回転はギア列１６を介してラックプレート１７の第１歯部１７ｃに伝達される。ここで、この状態では、ロックリブ３６のロック解除部３６ｂの先端部（後端部）に係止部材３５が係止している。したがって、ラックプレート１７はトレイ３に対して相対移動が不可能であり、ラックプレート１７とトレイ３とはともに後方に移動する。
【００４０】
ラックプレート１７及びトレイ３が後方に移動して、トレイ３に装着された係止部材３５が本体フレーム２の切欠き２ｃに対応する位置までくると、係止部材３５は外側に揺動して切欠き２ｃに係止する。これと同時に、トレイ３の後端が本体フレーム２の後壁２に当接し、トレイ３の後方への移動は停止する。この状態では、ラックプレート１７の後端と本体フレーム２の後壁との間には所定の隙間が確保されており、ラックプレート１７はさらに後方に移動する余裕がある。また、係止部材３５が外側に揺動して係止部材３５とロック用リブ３６のロック解除部３６ｂとの係止が解除されているので、ラックプレート１７はトレイ３に対して相対的に移動可能となる。
【００４１】
＜ロック及びクランプ＞
この状態からさらにモータ１５がローディング方向に回転し続けると、ラックプレート１７のみが後方に移動する。このラックプレート１７の移動により、ラックプレート１７の第２歯部１７ｄが第７ギア４２の突起（図示せず）に当接し、第７ギア４２を回転させる。すると、第７ギア４２の歯の形成された部分がラックプレート１７の第２歯部１７ｄと対向し、両者は噛み合う。したがって、これ以降は、連動機構４０が有効に作動することになる。すなわち、ラックプレート１７が移動することにより、ギア４２，４３を介してラック部材４１が前方に移動し、ユニットホルダ１０のロッド４４はラック部材４１のカム溝４１ｃに沿って上昇する。これによりユニットホルダ１０は上方のクランプ位置に揺動し、ターンテーブル３１の突起部３１ａが、その上方のクランパに吸着される。
【００４２】
以後は、光学ヘッド１１によってディスクの読み取りが行われる。このような実施形態では、トレイ３の一部に乗り上げ部３ｆを形成し、この乗り上げ部３ｆによってラックプレート１７を弾性変形させてその移動速度を低減しているので、ロック解除時のラックプレート１７の衝突音を抑えることができる。また、乗り上げ部３ｆは徐々にその高さが高くなるような傾斜面となっているので、ラックプレート１７の移動のスムーズさを妨げない。
【００４３】
また、トレイ３のラックプレート１７先端が衝突する部分にフェルト等の弾性部材を貼り付けるような構成に比較して、耐久性が高く、長期にわたって衝突音を抑えることができる。さらに、安価である。
［他の実施形態］ラックプレートの移動速度を低減するための構成は前記実施形態に示された構成に限定されない。例えば、乗り上げ部をトレイの側面ではなく裏面に形成しても良い。
【００４４】
【発明の効果】
以上のように本発明では、安価な構成で、ロック機構作動時の衝突音を抑えることができる。
【図面の簡単な説明】
【図１】本発明の実施形態が採用されたディスク再生装置の平面図。
【図２】前記装置の動力伝達経路を示す分解平面部分図。
【図３】速度低減のための構成を示す平面部分図。
【図４】前記装置に使用されるラック部材の側面部分図。
【図５】ロック機構の平面部分図。
【符号の説明】
１  ディスク再生駆動装置
２  本体フレーム
３  トレイ
３ｄ  ストッパリブ
３ｆ  乗り上げ部
４  ローディング機構
５  ディスク駆動機構
６  ロック機構
１７  ラックプレート
３５  係止部材
３６  ロック用リブ
４０  連動機構
【図１】
0003622898.tif 000002
【図２】
0003622898.tif 000003
【図３】
0003622898.tif 000004
【図４】
0003622898.tif 000005
【図５】
0003622898.tif 000006